(57)【要約】【課題】  室内灯の照明動作と連携を合理的に図りつつ、室内照明の機能を実行することができる表示装置を提供する。【解決手段】  角度検出ユニット１３０が表示装置１００の姿勢角を検出し、光検出ユニット１４０が室内灯の点灯を検出する。制御ユニット１１０は、これらの検出結果に基づいて、表示装置１００が室内灯からの照明光を遮っているかどうかを判断する。そして、表示装置１００が室内灯の照射を遮っていると判断した場合には、表示装置１００の表示デバイス１２５を発光させる制御を制御ユニット１１０が実行する。【選択図】  図１
2008134423.tif 000002
【特許請求の範囲】
【請求項１】
照明手段の付近に回動可能に配設された表示装置であって、
表示面に画像を表示する画像表示手段と；
前記画像表示手段の姿勢角を検出する角度検出手段と；
前記角度検出手段による検出結果に基づいて、前記照明手段が発光した光を前記画像表示手段が遮断していると判断される場合に、前記照明手段の発光を検出する発光検出手段と；
前記発光検出手段により前記照明手段の発光が検出された場合に、前記画像表示手段に前記表示面からの発光を行わせる発光制御手段と；
を備えることを特徴とする表示装置。
【請求項２】
前記発光検出手段は、前記照明手段からの光を検出する光検出手段を備える、ことを特徴とする請求項１に記載の表示装置。
【請求項３】
前記発光検出手段は、前記照明手段が発光状態及び非発光状態のいずれにあるかを示す電気信号である前記照明手段からの状態表示信号を受信する受信手段を備える、ことを特徴とする請求項１に記載の表示装置。
【請求項４】
前記照明手段の近傍に取り付けられ、前記画像表示手段を回動可能に支持する支持手段を更に備える、ことを特徴とする請求項１〜３のいずれか一項に記載の表示装置。
【請求項５】
前記角度検出手段による検出結果に基づいて、前記照明手段が発光した光を前記画像表示手段が遮断していると判断される場合に、前記発光制御手段に対して、前記発光検出手段による検出結果にかかわらず、前記画像表示手段に前記表示面からの発光を行わせることを指令する指令入力手段を更に備える、ことを特徴とする請求項１〜４のいずれか一項に記載の表示装置。
【請求項６】
移動体に搭載される、ことを特徴とする請求項１〜５のいずれかの一項に記載の表示装置。
【発明の詳細な説明】
【技術分野】
【０００１】
本発明は、照明灯としての機能をも有する表示装置に関する。
【背景技術】
【０００２】
近年、車両の後部座席に座った搭乗者が、テレビ放送やＤＶＤ（Digital Versatile Disk）等の映像を楽しむリアシートエンターテイメント（Rear Seat Entertainment、以下、「ＲＳＥ」ともいう）システムが普及している。このＲＳＥシステムの発達により、車両の後部座席に座った搭乗者が視認する表示装置（以下、単に「リアモニタ装置」ともいう）にも、様々なタイプのものが出現している。
【０００３】
このリアモニタ装置の一例として、車室内の天井部から吊り下げられ、映像を映し出す表示パネルが、車室の天井面とほぼ平行に向けられた非使用時姿勢と、下向きに展開された使用時姿勢との間で回動可能に支持されたオーバーヘッド式のものがある。
【０００４】
このオーバーヘッド式のリアモニタ装置は、前部座席と後部座席のほぼ中央に相当する車室の天井略中央に吊り下げられる場合が多い。そして、当該天井略中央には、車内全体を照らすための室内灯も設置されている。
【０００５】
このように、車室の天井略中央の非常に近接した位置には、オーバーヘッド式のリアモニタ装置と室内灯の２つの装置が設置されている。両者は、ともに発光体であることから、両装置の設置位置如何によっては、室内灯が照射されるとリアモニタ装置にその光が入って視認の妨げになる等といった光の干渉に関わる問題があった。
【０００６】
こうした問題点を解決できるリアモニタ装置として、当該リアモニタ装置の表示画面に、室内灯としての機能を併せ持たせ、車載用表示装置を室内灯と一体化させる技術が提案されている（特許文献１，２等参照：以下、「従来例」という）。
【０００７】
【特許文献１】特開２００６−４４５６７号公報
【特許文献２】特開２００６−１９２９７２号公報
【発明の開示】
【発明が解決しようとする課題】
【０００８】
しかしながら、車両購入後にリアモニタ装置を後から取り付ける場合、リアモニタ装置を車両購入時から既に天井略中央に設置されている室内灯と一体化させることはできず、上記の従来例の技術を適用することはできない。
【０００９】
また、車両購入後にリアモニタ装置を設置する場合は、通常、リアモニタ装置は室内灯の後部座席方向に設置される。このため、表示パネルが、天井部側に折り畳まれた非使用時姿勢のときは、表示パネルが室内灯の照射光を遮ってしまい（後述する図２（Ｂ）及び図３（Ｂ）参照）、夜間の室内照明等の本来の室内灯の目的を達することができなくなってしまう。以上から、車両購入後に後から車載用表示装置を設置する場合にも、リアモニタ装置と室内灯の両装置の機能を両立させる技術が切望されている。かかる要請に応えることが、本発明が解決すべき課題の１つとして挙げられる。
【００１０】
本発明は、上記の事情を鑑みてなされたものであり、室内灯との連携を合理的に図ることができる新たな表示装置を提供することを目的とする。
【課題を解決するための手段】
【００１１】
請求項１に記載の発明は、照明手段の付近に配設された表示装置であって、表示面に画像を表示する画像表示手段と；前記表示手段の姿勢角を検出する角度検出手段と；前記角度検出手段による検出結果に基づいて、前記照明手段が発光した光を前記画面表示手段が遮断していると判断される場合に、前記照明手段の発光を検出する発光検出手段；前記発光検出手段により前記照明判定手段の発光が検出された場合に、前記画像表示手段に前記表示面からの発光を行わせる発光制御手段と；を備えることを特徴とする表示装置である。
【発明を実施するための最良の形態】
【００１２】
以下、本発明の一実施形態を、図１〜図４を参照しつつ説明する。なお、以下の説明においては、同一の又は同等の要素には同一の符号を付し、重複する説明を省略する。
【００１３】
［構成］
図１には、本実施形態に係るリアモニタ装置である車載用表示装置１００の概略的な構成がブロック図にて示されている。この車載用表示装置１００は、外部の画像信号源５００からの画像データＩＭＤに基づく画像を表示する画像表示モードの動作と、車内照明動作を行う照明モードの動作とを、モード切換しながら実行する装置である。
【００１４】
図１に示されるように、車載用表示装置１００は、発光制御手段としての制御ユニット１１０と、画像表示手段としての表示ユニット１２０とを備えている。また、車載用表示装置１００は、角度検出手段としての角度検出ユニット１３０と、発光検出手段としての光検出ユニット１４０とを備えている。さらに、車載用表示装置１００は、指令入力手段としての点灯指令入力ユニット１５０を備えている。
【００１５】
なお、制御ユニット１１０以外の要素１２０〜１５０は、制御ユニット１１０に接続されている。
【００１６】
制御ユニット１１０は、車載用表示装置１００の全体を統括制御する。この制御ユニット１１０については、後述する。
【００１７】
表示ユニット１２０は、（ｉ）表示手段としての表示デバイス１２５と、（ii）制御ユニット１１０から送出された表示画像データＯＩＤに基づいて、表示ユニット１２０全体の制御を行う不図示の表示コントローラと、（iii）必要に応じて表示画像データを記憶する不図示の表示画像メモリ等を備えて構成されている。
【００１８】
表示デバイス１２５は、液晶表示デバイスであり、液晶表示パネル部１２６と、バックライト部１２７とを備えている。ここで、バックライト１２７は、例えば、発光ダイオード（以下、単に「ＬＥＤ」ともいう）を発光手段とする不図示の光源部と、液晶表示パネル部１２６側とは反対側の表面に反射膜が形成された不図示の導光板とを備えている。このバックライト部１２７は、制御ユニット１１０からのバックライト制御指令ＢＬＣに従って、点灯したり、消灯したりする。
【００１９】
バックライト部１２７の光源部は、例えば、ＬＥＤが複数個配列されたＬＥＤアレイを備えている。このＬＥＤアレイに動作電力が供給されている状態で、点灯を指令する制御ユニット１１０からバックライト制御指令ＢＬＣを受けると、導光板へ向けて光を射出する。導光板に入射した光は、導光板内を進行し、直接的に、又は反射膜により反射された後に、液晶表示パネル部１２６へ向けて導光板から射出される。この結果、液晶表示パネル部１２６が照明され、表示画像データＯＩＤに基づく液晶表示パネル部１２６上の画像パターンが利用者にとって可視となる。
【００２０】
角度検出ユニット１３０は、角度センサを備えて構成されている。この角度検出ユニット１３０は、水平面と車載用表示装置１００の液晶表示パネル部１２６の表示面とのなす角度を検出する。角度検出部１３０による検出結果ＰＡＤは、制御ユニット１１０へ送られる。
【００２１】
光検出ユニット１４０は、光センサを備えて構成されている。この光検出ユニット１４０による検出結果ＯＤＤは、制御ユニット１１０へ送られる。
【００２２】
点灯指令入力ユニット１５０は、利用者の操作に応答して、例えばオン／オフするスイッチ素子を備えて構成されている。点灯指令入力ユニット１５０からの指令ＭＩＣは、制御ユニット１１０へ送られる。
【００２３】
ここで、車載用表示装置１００の車両における設置構造について、図２及び図３を参照して説明する。ここで、図２（Ａ）には、車載用表示装置１００が画像表示モード姿勢にある場合の外観の斜視図が示され、図２（Ｂ）には、車載用表示装置１００が照明モード姿勢にある場合の外観の斜視図が示されている。また、図３（Ａ）には、車載用表示装置１００が画像表示モード姿勢にある場合の外観の水平視図が示され、図３（Ｂ）には、車載用表示装置１００が照明モード姿勢にある場合の外観の水平視図が示されている。なお、図２（Ａ）〜図３（Ｂ）にはおいては、ＸＹ面が水平面となっている。
【００２４】
図２（Ａ）〜図３（Ｂ）により総合的に示されるように、車載用表示装置１００は、ヒンジ部材６１０を介して、車両内の天井面から吊り下げられる。このヒンジ部材６１０は、車載用表示装置１００を天井面に取り付けるための接合部材であり、Ｘ軸と平行な軸ＡＸを回転中心軸として、車載用表示装置１００を回動可能に支持する。このため、利用者は、車載用表示装置１００を、表示デバイス１２５の表示面が天井面と大きな角度を有する画像表示モード姿勢（図２（Ａ）及び図３（Ａ）参照）、又は、表示デバイス１２５の表示面が天井面とほぼ平行な照明モード姿勢に（図２（Ｂ）及び図３（Ｂ）参照）に設定できるようになっている。
【００２５】
画像表示モード姿勢である場合には、車両の後部座席の利用者が、表示デバイス１２５の表示面の画像を快適に視認できる。このため、利用者は、表示デバイス１２５の表示面に映し出される映像コンテンツの再生画像を楽しむことができるようになっている。なお、画像表示モード姿勢においては、表示デバイス１２５の表示面は、室内灯６２０に対して後部座席方向側に位置するようになっている。
【００２６】
照明モード姿勢である場合には、車載用表示装置１００（すなわち、表示デバイス１２５）が、照明手段としての室内灯６２０を覆い隠すことになる。また、照明モード姿勢である場合には、車載用表示装置１００における光検出ユニットに室内灯６２０からの照明光が入射するようになっている。
【００２７】
図１に戻り、制御ユニット１１０は、角度検出ユニット１３０、光検出ユニット１４０及び点灯指令入力ユニット１５０からの出力情報に基づいて、表示ユニット１２０の表示動作を制御する。
【００２８】
制御ユニット１１０は、角度検出ユニット１３０による検出結果に基づいて、車載用表示装置１００が画像表示モード姿勢であると判断した場合には、バックライト部１２７に対して点灯すべき旨の制御指令ＢＬＣを送るとともに、画像信号源からの画像データＩＭＤを表示画像データＯＩＤとして、表示ユニット１２０へ送る。この結果、画像データＩＭＤに基づく画像が表示デバイス１２５の表示面に映し出される。
【００２９】
また、制御ユニット１１０は、角度検出ユニット１３０による検出結果に基づいて、車載用表示装置１００が収納時姿勢であると判断した場合には、例えば全画素を白色に指定する照明パターンデータを表示画像データＯＩＤとして、表示ユニット１２０へ送る。そして、点灯指令入力ユニット１５０から指令ＭＩＣにより点灯が指定されている場合には、制御ユニット１１０は、バックライト部１２７に対して点灯すべき旨の制御指令ＢＬＣを送る。この結果、室内灯６２０が点灯しているか否かにかかわらず、車載用表示装置１００により、車内の照明が行われる。
【００３０】
また、車載用表示装置１００が照明モード姿勢であると判断され、かつ、点灯指令入力ユニット１５０から指令ＭＩＣにより点灯が指定されていない場合には、制御ユニット１１０は、光検出ユニット１４０からの検出結果に基づいて、室内灯６２０が点灯しているか消灯しているかを判断し、その判断結果に基づいてバックライト部１２７の点灯及び消灯を制御する。すなわち、室内灯６２０が点灯していると判断された場合には、制御ユニット１１０は、バックライト部１２７に対して点灯すべき旨の制御指令ＢＬＣを送る。一方、室内灯６２０が消灯していると判断された場合には、制御ユニット１１０は、バックライト部１２７に対して消灯すべき旨の制御指令ＢＬＣを送る。この結果、車載用表示装置１００により、室内灯６２０の点灯又は消灯を反映した車内の照明が行われる。
【００３１】
［動作］
次に、上記のように構成された車載用表示装置１００の動作について説明する。
【００３２】
なお、車載表示装置１００の動作には、テレビ放送やＤＶＤ等の映像を表示デバイス１２５に表示する「画像表示モード」と、車内全体を照らす室内灯として機能するように白色の映像を表示デバイス１２５に表示する「照明モード」の、２つのモードが存在する。
【００３３】
まず、図４のステップＳ１１において、角度検出ユニット１３０が、水平面と車載用表示装置１００の液晶表示パネル部１２６の表示面とのなす角度を検出する。角度検出ユニット１３０による検出結果ＰＡＤは、制御ユニット１１０へ送られる。
【００３４】
引き続き、ステップＳ１２において、制御ユニット１１０が、角度検出ユニット１３０からの検出結果ＰＡＤに基づいて、車載用表示装置１００が照明モード姿勢であるか否かを判定する。なお、車載用表示装置１００が照明モード姿勢であるか否かを判定するための角度閾値は、事前の実験、シミュレレーション又は経験に基づいて予め定められる。なお、かかる角度閾値については、利用者が、不図示の操作入力手段（例えば、表示デバイス１２５の表示面上に設けられたタッチパネル等）を使用して、設定することができるようにすることもできる。
【００３５】
ステップＳ１２における判定の結果が否定的であった場合（ステップＳ１２：Ｎ）には、制御ユニット１１０は、照明パターンデータを表示画像データＯＩＤとして、表示ユニット１２０へ送る。そして、処理はステップＳ１８へ進む。なお、判定の結果が否定的であった場合とは、車載用表示装置１００が画像表示モード姿勢の状態にあることを意味する。
【００３６】
このステップＳ１８では、車載用表示装置１００は、通常動作である「画像表示モード」動作を実行する。すなわち、制御ユニット１１０が、バックライト部１２７に対して点灯すべき旨の制御指令ＢＬＣを送るとともに、画像信号源５００からの画像データＩＭＤを表示画像データＯＩＤとして、表示ユニット１２０へ送る。この結果、画像データＩＭＤに基づく画像が表示デバイス１２５の表示面に映し出される。この後、処理はステップＳ１１へ戻る。
【００３７】
ステップＳ１２における判定の結果が肯定的であった場合（ステップＳ１２：Ｙ）には、処理はステップＳ１３に進む。なお、判定の結果が肯定的であった場合とは、車載用表示装置１００が照明モード姿勢の状態であることを意味する。
【００３８】
このステップＳ１３では、制御ユニット１１０が、点灯指令入力ユニット１５０により点灯指令がなされているか否かを判定する。この判定の結果が肯定的であった場合（ステップＳ１３：Ｙ）には、処理はステップＳ１６へ進む。このステップＳ１６では、表示デバイス１２５の発光による車内照明が行われる。かかる車内照明の実行に際しては、制御ユニット１１０は、バックライト部１２７に対して点灯すべき旨の制御指令ＢＬＣを送る。この後、処理はステップＳ１１へ戻る。
【００３９】
ステップＳ１３における判定が否定的であった場合（ステップＳ１３：Ｎ）には、処理はステップＳ１４へ進む。このステップ１４では、光検出ユニット１４０が、室内灯６２０からの照射された光を検出する。光検出ユニット１４０による検出結果ＯＤＤは、制御ユニット１１０へ送られる。
【００４０】
引き続き、ステップＳ１５において、制御ユニット１１０が、検出ユニット１４０による検出結果ＯＤＤに基づいて、室内灯６２０が点灯しているか否かを判定する。なお、室内灯６２０が点灯しているか否かを判定するため光度閾値は、事前の実験、シミュレレーション又は経験に基づいて予め定められる。なお、かかる光度閾値についても、上述した角度閾値の場合と同様に、利用者が、不図示の操作入力手段（例えば、表示デバイス１２５の表示面上に設けられたタッチパネル等）を使用して、設定することができるようにすることもできる。
【００４１】
ステップＳ１５における判定の結果が肯定的であった場合（ステップＳ１５：Ｙ）には、処理はステップＳ１６に進む。ここで、判定の結果が肯定的であった場合とは、車載表示装置１００が照明モード姿勢の状態にあり、かつ、室内灯６２０が点灯している状態である。換言すれば、車載表示装置１００が室内灯６２０の照射光を遮ってしまい、夜間の室内照明等、本来の室内灯としての機能を果たせなくなってしまった状態である。
【００４２】
このステップＳ１６では、上述の動作が行われる。この後、処理はステップＳ１１へ戻る。
【００４３】
一方、ステップＳ１５における判定の結果が否定的であった場合（ステップＳ１５：Ｎ）には、処理はステップＳ１７に進む。ここで、判定の結果が否定的であった場合とは、車載用表示装置１００が照明モード姿勢の状態にあり、かつ、室内灯６２０が消灯している状態である。換言すれば、車内を室内灯で照明する必要がない場合である。
【００４４】
このステップＳ１７では、車内を照明する必要はないので、表示デバイス１２５の発光は行わない。すなわち、ステップＳ１７では、制御ユニット１１０は、バックライト部１２７に対して消灯すべき旨の制御指令ＢＬＣを送る。この後、処理はステップＳ１１へ戻る。
【００４５】
以上のようにして、処理がステップＳ１１へ戻ると、以後、上述したステップＳ１１〜Ｓ１８の処理が繰り返される。
【００４６】
以上説明したように、本実施形態では、車載用表示装置１００が、室内灯６２０を覆い隠す場合にも、車載用表示装置１００が照明灯としての機能を果たす。このため、本実施形態の車載用表示装置１００によれば、室内灯６２０の照明動作と連携を合理的に図りつつ、車内照明の機能を実行することができるので、利用者の利便性を向上させることができる。
【００４７】
また、本実施形態の車載用表示装置１００は、室内灯６２０に対して後部座席方向側に設置されている。このため、室内灯６２０の光が車載用表示装置１００の表示デバイス１２５に入って視認の妨げになることもなく、快適なＲＳＥシステムを提供することができる。
【００４８】
［実施形態の変形］
本発明は、上記の実施形態に限定されるものではなく、様々な変形が可能である。
【００４９】
例えば、上記の本実施形態では、表示ユニット１２０における表示デバイス１２５を液晶表示パネル部１２６を備える液晶表示装置としたが、表示デバイスとして、有機ＥＬ（Electro Luminescence）パネル、ＰＤＰ（Plasma Display Panel）等を採用することもできる。
【００５０】
また、上記の実施形態における角度センサとしては、角度又は、照明モード姿勢であることを検出できるセンサであれば、磁気センサ、距離センサ、プッシュスイッチ等、どのようなものであってもよい。
【００５１】
また、上記の実施形態では、支持部材であるヒンジ部材６１０が車載用表示装置１００とは別途に用意されていることとした。これに対して、車載用表示装置として、専用の支持部材を備えるようにしてもよい。この場合には、当該支持部材に角度検出ユニットを配置することができる。
【００５２】
また、上記の実施形態では、室内灯６２０が点灯しているか否かを判定するために、室内灯が照射する光を検出するようにしたが、室内灯から出力される点灯状態と消灯状態を示す電気信号を受信するようにしてもよい。
【００５３】
また、上記の実施形態では、車載用表示装置１００による照明光の色として白色としたが、任意の色とすることができる。
【００５４】
また、上記の実施形態では、車載用表示装置１００の回動操作は手動としたが、当該回動操作はリモートコントロール等による電動操作であってもよい。
【００５５】
また、上記の実施形態の車載用表示装置１００では、画像信号源５００が車載用表示装置１００に配置されるものとしたが、画像信号源としてのＤＶＤ等を挿抜可能なドライブユニットを備えるようにしてもよい。
【００５６】
また、上記の実施形態では、本発明を車載用表示装置に適用したが、車両以外の移動体に搭載される表示装置に本発明を適用できるのは、勿論である。
【００５７】
なお、上記の実施形態における制御ユニット１１０の一部又は全部を中央処理装置（ＣＰＵ：Central Processing Unit）、読出専用メモリ（ＲＯＭ：Read Only Memory）、ランダムアクセスメモリ（ＲＡＭ：Random Access Memory）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配送の形態で取得されるようにしてもよい。
【図面の簡単な説明】
【００５８】
【図１】本発明の一実施形態に係る車載用表示装置の構成を概略的に示す機能ブロック図である。
【図２】本発明の一実施形態である車載用表示装置の外観を示す斜視図である。
【図３】本発明の一実施形態である車載用表示装置の外観を示す水平図である。
【図４】図１の装置の動作を説明するためのフローチャートである。
【符号の説明】
【００５９】
１００    …  車載用表示装置（表示装置）
１１０    …  制御ユニット（発光制御手段、受信手段）
１２０    …  表示ユニット（画像表示手段）
１３０    …  角度検出ユニット（角度検出手段）
１４０    …  光検出ユニット（発光検出手段、光検出手段）
６１０    …  ヒンジ部材（支持手段）
６２０    …  室内灯（照明手段）
【図１】
2008134423.tif 000003
【図２】
2008134423.tif 000004
【図３】
2008134423.tif 000005
【図４】
2008134423.tif 000006